(57)【特許請求の範囲】
【請求項１】
照明光源からの照明光を被検眼に案内させる照明光学系の照明光路途中に蛍光撮影用のエキサイタフィルターが第一の駆動手段で挿脱可能に設けられ、前記被検眼からの光を撮像手段に案内する観察・撮影光学系の観察・撮影光路途中に蛍光撮影用のバリヤフィルターが第二の駆動手段で挿脱可能に設けられていると共に、
前記第一及び第二の駆動手段を撮影時に連動して作動させる制御手段と、
蛍光撮影計時用のタイマースイッチのON・OFF状態から蛍光撮影モードか否かを検出して、前記タイマースイッチがOFFからONになったときには前記制御手段による制御を連動解除状態から連動状態に、前記タイマースイッチがONからOFFになった時には前記制御手段による制御を連動状態から連動解除状態に切り換わる様に設定されている連動切換手段を設けたことを特徴とする眼科装置。
【発明の詳細な説明】
【０００１】
【産業上の利用分野】
この発明は、蛍光撮影時に用いるエキサイタフィルター及びバリヤフィルターを備える眼科装置に関するものである。
【０００２】
【従来の技術】
この種の眼科装置としては眼底カメラがある。この眼底カメラでは、照明光源からの照明光を被検眼に案内させる照明光学系の照明光路途中に蛍光撮影用のエキサイタフィルターがエキサイター用の駆動手段で挿脱可能に設けられ、前記被検眼からの光を撮像手段に案内する観察・撮影光学系の観察・撮影光路途中に蛍光撮影用のバリヤフィルターがバリヤ用の駆動手段で挿脱可能に設けているのが普通である。
【０００３】
しかも、蛍光撮影モードにおいては、撮影スイッチが押される前の合焦時に（特に、蛍光が出る前においては）エキサイタフィルターが照明光路途中に入っている状態でも、バリヤフィルターを観察・撮影光路から外すことにより、眼底を観察できるようになっている。
【０００４】
この様な構成では、蛍光撮影に際して使用者の誤操作によりバリヤフィルターのいずれか一方を光路に入れ忘れる虞がある。そのため、蛍光撮影時に上述したバリヤフィルターの入れ忘れを防止する目的で、蛍光撮影モードにおいてエキサイタフィルターが照明光路に入っている状態で撮影スイッチを押したときにはバリヤフィルターを駆動手段により観察・撮影光路に挿入した後に、撮影光源を発光制御させるようにしている。
【０００５】
しかし、眼底における神経線維の走行を確認し易くするために、蛍光撮影用のエキサイタフィルターのみを使用して、このエキサイタフィルターを透過する単色光で眼底を照明すると共に、バリヤフィルターなしで観察・撮影を行いたい場合もある。
【０００６】
【発明が解決しようとする課題】
従って、上述のバリアフィルタを自動的に挿入する装置では、単色光による眼底の撮影をしたいと思っても、エキサイタフィルターが照明光路に入っている状態では蛍光撮影モードとなっているため、撮影スイッチを押すと上述したようにバリヤフィルターが観察・撮影光路に挿入されてしまい、エキサイタフィルターのみを用いた単色光による撮影を行うことができなかった。
【０００７】
そこで、この発明の目的は、蛍光撮影モードを検出してエキサイタフィルターとバリヤフィルターとを連動または連動解除状態として、単色光による眼底撮影と蛍光撮影の切換動作を自動的に行える眼科装置を提供することにある。
【０００８】
【課題を解決するための手段】
この目的を達成するために、請求項１の発明は、照明光源からの照明光を被検眼に案内させる照明光学系の照明光路途中に蛍光撮影用のエキサイタフィルターが第一の駆動手段で挿脱可能に設けられ、前記被検眼からの光を撮像手段に案内する観察・撮影光学系の観察・撮影光路途中に蛍光撮影用のバリヤフィルターが第二の駆動手段で挿脱可能に設けられていると共に、前記第一及び第二の駆動手段を撮影時に連動して作動させる制御手段と、蛍光撮影計時用のタイマースイッチのON・OFF状態から蛍光撮影モードか否かを検出して、前記タイマースイッチがOFFからONになったときには前記制御手段による制御を連動解除状態から連動状態に、前記タイマースイッチがONからOFFになった時には前記制御手段による制御を連動状態から連動解除状態に切り換わる様に設定されている連動切換手段を設けた眼科装置としたことを特徴とする。
【００２３】
【実施例】
以下、この発明の実施例を図面に基づいて説明する。
【００２４】
＜第１実施例＞
図２は眼底カメラ（眼科装置）の光学系を示したものである。この図２において、１は眼底カメラの照明光学系、２は眼底カメラの観察・撮影光学系、３は被検眼である。
【００２５】
［照明光学系］
照明光学系１は、観察照明光学系と撮影照明光学系を有する。
【００２６】
この撮影照明光学系は、キセノンランプ６，コンデンサレンズ７，小径遮光板８，リング状絞り９，小径遮光板１０，リレーレンズ１１，反射ミラー１２，リレーレンズ１３，黒点板１４，リレーレンズ１５，孔空きミラー１６，対物レンズ１７等の光学部品をこの順に有する。そして、キセノンランプ６からの撮影照明光は、コンデンサーレンズ７から対物レンズ１７までの光学部品を介して被検眼３の眼底Ｅｆに投影される。
【００２７】
しかも、コンデンサレンズ７と小径遮光板８との間には、可視蛍光用のエキサイタフィルターＥ１と赤外蛍光用のエキサイタフィルターＥ２が第１の駆動手段であるソレノイドＳ１，Ｓ２によりそれぞれ挿脱可能に設けられている。
【００２８】
また、観察照明光学系は、観察用光源としてのハロゲンランプ４，コンデンサレンズ５，コンデンサレンズ７から対物レンズ１７までの光学部品を有する。そして、ハロゲンランプ４からの観察照明光はコンデンサレンズ５から対物レンズ１７までの光学部品を介して眼底Ｅｆに投影される。
【００２９】
なお、小径遮光板８は角膜２５と共役であり、リングスリット９は瞳孔２８と共役であり、小径遮光板１０は水晶体２６の後面２６ａと共役、黒点板１４は対物レンズ１７の表面での反射光が孔空きミラー１６の孔部１６ａを通過しないための遮光物である。
【００３０】
［観察・撮影光学系］
観察・撮影光学系２は、電子観察・撮影光学系とフィルム撮影光学系を有する。
【００３１】
この電子観察・撮影光学系は、被検眼３に臨む対物レンズ１７，合焦レンズ１９，結像レンズ２０，クイックリターンミラー２１，マスク３６，眼底Ｅｆと共役なフィールドレンズ２２，反射ミラー２３，リレーレンズ２４等を有する。
【００３２】
また、フィルム撮影光学系は、被検眼３に臨む対物レンズ１７，合焦レンズ１９，結像レンズ２０、マスクＭを有し、被検眼からの光を３５ｍｍカメラ（撮像手段）のフィルムＦまで案内するようなっている。
【００３３】
しかも、孔空きミラー１６と合焦レンズ１９との間には、可視蛍光用のバリヤフィルターＢ１と赤外蛍光用のバリヤフィルターＢ２が第２の駆動手段であるソレノイドＳ３，Ｓ４によりそれぞれ挿脱可能に配設されている。
【００３４】
そして、被検眼３の眼底Ｅｆからの反射光による眼底像が、対物レンズ１７から結像レンズ２０までの光学部品、及び、ミラー２１，眼底Ｅｆと共役なフィールドレンズ２２，反射ミラー２３，リレーレンズ２４，マスク３６を介してテレビカメラ３０のエリアＣＣＤ３０ａ（画像入力手段，撮像手段）に結像される。
【００３５】
［固視目標光学系］
固視目標光学系Ａは、結像レンズ２０とミラー２１との間に挿脱自在に配設されたハーフミラー３２，固視目標としての小孔３３ａを有し且つ眼底Ｅｆと共役に配置された固視目標用のマスク３３，小孔３３ａに臨ませて配設された発光ダイオード等の固視目標用光源３４を有する。尚、マスク３３及び固視目標用光源３４は、パルスモータ等で電動駆動制御されるＸーＹテーブル（図示略）等の固視目標駆動装置３５に装着されている。
【００３６】
［制御回路］
上述の眼底カメラは図１に示した演算制御回路４０（連動切換手段）を制御手段として有する。この演算制御回路４０には、撮影スイッチ４１，撮影装置選択スイッチ４２，撮影モード選択スイッチ４３，タイマースイッチ４４，エキサイタスイッチ４５，バリヤスイッチ４６等からの信号が入力される様になっている。
【００３７】
また、演算制御回路４０は、駆動回路５１，５２，５３，５４を介してソレノイドＳ１，Ｓ２，Ｓ３，Ｓ４を作動制御するようになっていると共に、発光制御回路５５を作動制御するようになっている。図１中、ＬＥＤ１はエキサイタフィルターＥ１の動作確認用の発光ダイオード、ＬＥＤ２はエキサイタフィルターＥ２の動作確認用の発光ダイオード、ＬＥＤ３はバリヤフィルターＢ１の動作確認用の発光ダイオード、ＬＥＤ４はバリヤフィルターＢ２の動作確認用の発光ダイオードである。ここで、動作確認とは各フィルターが光路内に挿入された状態を言う。
【００３８】
しかも、演算制御回路４０には、ＴＶカメラ３０のエリアＣＣＤ３０ａが接続されていると共に、モニターテレビ６０がビデオ装置等の電子映像記録装置６１を介して接続されている。
【００３９】
上記撮影装置選択スイッチ４２はフィルム撮影や電子撮影等の選択をするもので、撮影装置選択スイッチ４２によりフィルム撮影を選択すると、演算制御回路４０はクイックリターンミラー２１をフィルム撮影光学系の観察・撮影光路から外し、撮影装置選択スイッチ４２により電子撮影を選択すると、演算制御回路４０はクイックリターンミラー２１をフィルム撮影光学系の観察・撮影光路に挿入する様になっている。
【００４０】
尚、撮影モード選択スイッチ４３にはロータリー式スイッチが用いられいて、この撮影モード選択スイッチ４３は図３に示した操作ツマミ４３ａを有し、この操作ツマミ４３ａは選択マーク４３ｂを有する。そして、この操作ツマミ４３ａを回動操作して選択マーク４３ｂを、可視カラー，可視単色，可視蛍光，赤外単色，赤外蛍光に合わせることにより、可視カラー撮影モード，可視単色撮影モード，可視蛍光撮影モード，赤外単色撮影モード，赤外蛍光撮影モード等の選択が行われるようになっている。
【００４１】
＜演算制御回路４０のその他の機能＞
次に、上述の演算制御回路４０のその他の機能を作用と共に説明する。
【００４２】
（１）可視カラー撮影（連動解除）
図示しない眼底カメラの電源スイッチをＯＮさせると演算制御回路４０が作動して初期化される。これと同時にタイマースイッチ４４はＯＦＦ状態になり、カウンタ／タイマー表示「０００００１」となる。尚、カウンタ／タイマー表示「０００００１」は、撮影スイッチ４３が押される毎に「１」つずつ数字が増加する。尚、このカウンタ／タイマー表示は、モニターテレビ６０の画面の中央の眼底像の表示の部分を避けて行う。例えば、カウンタ／タイマー表示は、モニターテレビ６０の画面の下側又は左側等の画面中央の眼底像の邪魔にならない部分にするものとする。
【００４３】
ここで、可視カラー撮影をする場合には、撮影モード選択スイッチ４３の操作ツマミ４３ａの選択マーク４３ｂを可視カラーに合わせる。このモードでは演算制御回路４０は、撮影スイッチ４１をＯＮさせても、フィルタを光路に自動的に挿入させない様に制御する。従って、演算制御回路４０は、撮影スイッチ４１がＯＮされると、発光制御回路５５によりキセノンランプ６を発光させて、フィルターを使用しない可視光による眼底のカラー撮影を行う。
【００４４】
（２）可視単色光による撮影（非連動）
また、可視単色光による撮影をする場合には、撮影モード選択スイッチ４３の操作ツマミ４３ａの選択マーク４３ｂを可視単色に合わせる。
【００４５】
このモードでは、演算制御回路４０は、撮影スイッチ４１がＯＮされると、駆動回路５１で可視蛍光用エキサイタソレノイドＳ１を駆動し、可視蛍光用エキサイタフィルターＥ１を光路に挿入し、発光制御回路５５によりキセノンランプ６を発光させて、可視蛍光用エキサイタフィルターＥ１のみによる（単色光による）眼底撮影を行う。このモードでは、制御回路４０はバリヤフィルタＢ１を光路に挿入しないようにする。
【００４６】
（３）可視蛍光撮影（連動）
次に、患者へ可視蛍光用の蛍光剤であるＦＡＧ（フルオレスセン）を静注すると同時に、タイマースイッチ４４をＯＮさせる。これと同時に、カウンタ／タイマー表示器７１はカウンター表示からタイマー表示になり、静注後の経過時間を表示する。
【００４７】
一方、撮影モード選択スイッチ４３により可視蛍光撮影モードを選択すると、演算制御回路４０は、駆動回路５１または５３で可視蛍光用エキサイタソレノイドＳ１又は可視蛍光用バリアソレノイドＳ３を作動させて、可視蛍光用エキサイタフィルターＥ１又は可視蛍光用バリヤフィルターＢ１を光路に挿入させる。
【００４８】
これに伴い演算制御回路４０は、可視蛍光用エキサイタフィルターＥ１用の発光ダイオードＬＥＤ１又は可視蛍光用バリヤフィルターＢ１用の発光ダイオードＬＥＤ３を点灯させて、各フィルターＥ１又はＢ１が光路に挿入されていることを使用者に知らせる。
【００４９】
次に、演算制御回路４０は、撮影スイッチ４１がＯＮされると、発光制御回路５５を作動させてキセノンランプ６を発光制御させる。
【００５０】
ここで、演算制御回路４０は、この撮影スイッチ４１がＯＮされた場合に、可視蛍光用エキサイタフィルターＥ１又は可視蛍光用バリヤフィルターＢ１のどちらか一方が光路に挿入されていないときは、駆動回路５１又は５３を駆動制御して、挿入されていないフィルターＥ１またはＢ１を自動的に光路に挿入させた後、キセノンランプ６を発光制御させる様に設定されている。
【００５１】
これにより、眼底血管からの可視蛍光は、観察・撮影光路及びバリヤフィルターＢ１を介してフィルムＦ又はエリアＣＣＤ３０ａに案内されて、可視蛍光による眼底血管像がフィルムＦに記録又は電子映像記録装置６１でビデオテープ等の記録媒体に記録される。
【００５２】
（４）赤外単色光による撮影（非連動）
また、赤外単色光による撮影をする場合には、撮影モード選択スイッチ４３の操作ツマミ４３ａの選択マーク４３ｂを赤外単色に合わせる。
【００５３】
このモードでは、演算制御回路４０は、撮影スイッチ４１がＯＮされると、駆動回路５１で可視蛍光用エキサイタソレノイドＳ２を駆動し、赤外蛍光用エキサイタフィルターＥ２を光路に挿入し、発光制御回路５５によりキセノンランプ６を発光させて、赤外蛍光用エキサイタフィルターＥ２のみによる（単色光による）眼底撮影を行う。このモードでは、制御回路４０はバリヤフィルタＢ２を光路に挿入しないようにする。
【００５４】
（５）赤外蛍光撮影（連動）
また、患者へ赤外蛍光用の蛍光剤であるＩＣＧ（インドシアニングリーン）を静注すると同時に、タイマースイッチ４４をＯＮさせる。これと同時に、カウンタ／タイマー表示器７１はカウンター表示からタイマー表示になり、静注後の経過時間を表示する。
【００５５】
一方、撮影モード選択スイッチ４３により赤外蛍光撮影モードを選択すると、演算制御回路４０は、駆動回路５２または５４で赤外蛍光用エキサイタソレノイドＳ２又は赤外蛍光用バリアソレノイドＳ４を作動させて、赤外蛍光用エキサイタフィルターＥ２又は赤外蛍光用バリヤフィルターＢ２を光路に挿入させる。
【００５６】
これに伴い演算制御回路４０は、赤外蛍光用エキサイタフィルターＥ２用の発光ダイオードＬＥＤ２又は赤外蛍光用バリヤフィルターＢ２用の発光ダイオードＬＥＤ４を点灯させて、各フィルターＥ２又はＢ２が光路に挿入されていることを使用者に知らせる。
【００５７】
次に、演算制御回路４０は、撮影スイッチ４１がＯＮされると、発光制御回路５５を作動させてキセノンランプ６を発光制御させる。
【００５８】
ここで、演算制御回路４０は、この撮影スイッチ４１がＯＮされたときに、赤外蛍光用エキサイタフィルターＥ２又は赤外蛍光用バリヤフィルターＢ２のどちらか一方が光路に挿入されていない場合には、駆動回路５２又は５４を駆動制御して、挿入されていないフィルターＥ２またはＢ２を自動的に光路に挿入させた後、キセノンランプ６を発光制御させる様に設定されている。
【００５９】
これにより、眼底血管からの可視蛍光は、観察・撮影光路及びバリヤフィルターＢ２を介してフィルムＦ又はエリアＣＣＤ３０ａに案内されて、赤外蛍光による眼底血管像がフィルムＦに記録又は電子映像記録装置６１でビデオテープ等の記録媒体に記録される。
【００６０】
尚、上述したように本実施例では、演算制御回路４０が、撮影条件として撮影モード選択スイッチ４３により選択された撮影モードの状態を検出して、連動と連動解除を切り換える様にしている。即ち、演算制御回路４０は、蛍光撮影モードか否かを検出して、蛍光撮影モードのときには連動解除状態から連動状態に、蛍光撮影モードから他の撮影モードになったときには連動状態から連動解除状態に切り換わる様に設定されている。
【００６１】
＜他の変形例１＞
また、可視蛍光撮影のためのフィルターＥ１，Ｂ１の構成又は赤外蛍光撮影のためのフィルターＥ２，Ｂ２を省略したものにおいては、撮影モード選択スイッチ４３を用いずに撮影条件である撮影モードを検出するようにすることもできる。即ち、この構成では、タイマースイッチ４４のＯＮ・ＯＦＦ状態から赤外蛍光撮影モード或は可視蛍光撮影モードの状態になっているか否かを検出するようにすることもできる。
【００６２】
この場合、演算制御回路４０は、蛍光撮影計時用のタイマースイッチ４４のＯＮ・ＯＦＦ状態から蛍光撮影モードか否かを検出して、タイマースイッチ４４がＯＦＦからＯＮになったときには連動解除状態から連動状態に、タイマースイッチ４４がＯＮからＯＦＦになったときには連動状態から連動解除状態に切り換わる様に設定することもできる。
【００６３】
また、演算制御回路４０は、蛍光剤を被検者に静注する際に用いる静注手段に蛍光剤静注検出手段を設けて、前記蛍光剤静注検出手段からの検出信号を基に蛍光撮影モードか否かを検出して、蛍光撮影モードのときには連動解除状態から連動状態に、蛍光撮影モードから他の撮影モードにときには連動状態から連動解除状態に切り換わる様に設定することもできる。
【００６４】
この場合、蛍光剤静注検出手段は、蛍光剤静注用の注射器に設けた蛍光剤の注入終了検出手段としても良い。尚、注射器は、一般に、シリンダの一端部に注射針が設けられ、シリンダの他端開口縁部に指を掛けるフランジが設けられていると共に、この他端開口縁部側からシリンダにピストンの一端側が挿入され、このピストンの他端部に指を掛けるフランジが設けられている。従って、このシリンダのフランジとピストンのフランジとの一方にスイッチを上述の注入終了検出手段として設け、このスイッチを他方のフランジでＯＮするようにすることで、蛍光剤の静注終了を検出するようにすることもできる。
【００６５】
また、上述の蛍光剤静注検出手段は、蛍光剤の静注時に用いる被検者の腕置き台に設けたスイッチ等の腕検出手段としても良い。この場合、演算制御回路４０は、蛍光剤の静注時に用いる被検者の腕置き台に被検者の腕が置かれたのを腕検出手段で検出したとき、連動解除状態から連動状態に切り換え、又、蛍光剤の静注時に用いる被検者の腕置き台から被検者の腕がはずされたのを腕検出手段で検出したとき、連動状態から連動解除状態に切り換えるように設定する。
【００６６】
＜他の変形例２＞
さらに、演算制御回路４０は、蛍光撮影用のフィルターＥ１又はＥ２或はＢ１又はＢ２の光路への挿脱状態から蛍光撮影モードか否かを検出して、フィルターＢ１又はＢ２が光路に挿入されているときには連動解除状態から連動状態に、フィルターＢ１又はＢ２が光路から外されているときには連動状態から連動解除状態に切り換わる様に設定できる。尚、このフィルターＢ１，Ｂ２等の光路への挿入動作は、演算制御回路４０が駆動回路５１〜５４を作動制御してソレノイドＳ３〜Ｓ４の作動させているので、フィルターＢ１，Ｂ２のいずれが光路に挿入されているのかを演算制御回路４０は常に感知している。しかし、このフィルターＢ１，Ｂ２が光路に挿入されているのを、検出スイッチ等で検出するようにすることもできる。
【００６７】
また、演算制御回路４０は、撮影用光源であるキセノンランプ６の発光量切換手段における切換状態から撮影モードか否かを検出して、発光量切換状態が高発光量のときには連動解除状態から連動状態に、発光量切換状態が低発光量のときには連動状態から連動解除状態に切り換わる様に設定することもできる。尚、発光量切換手段としては、回転式或は直線的にスライドするボリューム等を用いることもできるし、複数のスイッチを用いて段階的に発光量を切り換えるようにした構成を採用することもできる。
【００６８】
演算制御回路４０は、撮像手段としてのＴＶカメラ３０から出力される映像信号を基に蛍光撮影モードか否かを検出して、映像信号が白黒映像信号になったときには蛍光撮影モードとして連動解除状態から連動状態に、映像信号がカラー信号になったときには連動状態から連動解除状態に切り換わる様に設定することもできる。
【００６９】
演算制御回路４０は、撮像手段としての３５ｍｍカメラに設けられたフィルムＦのＤＸコード検出手段からのフィルム感度を基に蛍光撮影モードか否かを検出して、ＤＸコード検出手段によるフィルム感度が所定感度以上になったときには蛍光撮影モードとして連動解除状態から連動状態に、ＤＸコード検出手段によるフィルム感度が所定感度より低いときには連動状態から連動解除状態に切り換わる様に設定することもできる。
【００７０】
演算制御回路４０は、蛍光撮影計時用のタイマースイッチ４４のＯＮ・ＯＦＦ，蛍光撮影用のフィルターＢ１，Ｂ２等の光路への挿脱状態，腕置き台に設けられた腕検出手段による検出状態，撮像手段としての３５ｍｍカメラのＤＸコード検出手段からのフィルム感度，撮影用光源の発光量切換手段からの発光量切換状態等の複数の条件の組み合わせから蛍光撮影モードか否かを検出して、蛍光撮影モードのときには連動解除状態から連動状態に、蛍光撮影モードから他の撮影モードになったときには連動状態から連動解除状態に切り換わる様に設定することもできる。
【００７１】
演算制御回路４０は、前記撮影条件として撮影装置の種類を検出し、連動と連動解除を切り換えるように設定することもできる。この場合、撮影装置としては、赤外蛍光撮影用のフィルムが装填された３５ｍｍカメラ、可視蛍光撮影用のフィルムが装填された３５ｍｍカメラ、可視カラー撮影用のフィルムが装填された３５ｍｍカメラ、カラー撮影用のポラロイドカメラ、カラー撮影用のＴＶカメラ、赤外蛍光撮影用のＴＶカメラ等種々のものが考えられる。そして、この各撮影装置の眼底カメラ本体への取付部に、各撮影装置を認識してこの認識信号を演算制御回路４０に入力させる手段を設けておくことにより、演算制御回路４０は眼底カメラ本体に装着された撮影装置の種類を検出することができる。
【００７２】
【効果】
この発明は、以上説明したように構成したので、エキサイタフィルターが照明光路に入っている状態で撮影スイッチが押されても、バリヤフィルターが観察・撮影光路に入らない非連動状態にして、単色光による眼科撮影ができると共に、連動状態にすれば蛍光撮影時のフィルターの入れ忘れを防止できる。
【図面の簡単な説明】
【図１】この発明に係る眼科装置の光学系の一例を示す説明図である。
【図２】図１に示した眼科装置の制御回路を示す説明図である。
【図３】図１に示した制御回路における撮影モード選択スイッチの操作ツマミの部分を示す説明図である。
【符号の説明】
１…照明光学系
２…観察・撮影光学系
６…キセノンランプ６（照明光源）
３０…ＴＶカメラ（撮像手段）
４０…演算制御回路（連動切換手段，制御手段）
４５…エキサイタスイッチ連動解除手段の一部）
４６…バリヤスイッチ（連動解除手段の一部）
４１…撮影スイッチ
４４…タイマースイッチ
５１，５２，５３，５４…駆動回路（駆動手段）
Ｓ１，Ｓ２，Ｓ３，Ｓ４…ソレノイド（駆動手段）
Ｆ…フィルム
【図１】
0003548832.tif 000002
【図２】
0003548832.tif 000003
【図３】
0003548832.tif 000004